(57)【特許請求の範囲】
【請求項１】
ＣＭ映像を含む放送番組データを受信する受信手段と、
前記受信手段で受信された前記放送番組データを記録する記録手段と、
前記記録手段で記憶された放送番組データを再生する再生手段と、
を備える放送番組記録再生装置と、
ＣＭ視聴管理サーバと、
を含むシステムにおいて、
前記ＣＭ視聴管理サーバで、前記放送番組記録再生装置で記録された前記放送番組データ中の前記ＣＭ映像がデコードされる頻度を集計するための放送番組記録再生方法であって、
前記受信手段が、ＣＭ視聴管理サーバのアドレス、前記ＣＭ映像のＣＭ識別子、及び有効期限を含むＣＭ識別情報が所定の長さ単位に分割されて得られる複数の部分データが、前記ＣＭ映像の全ピクチャのうちの選択された複数のピクチャに多重されている前記放送番組データを受信する受信ステップと、
前記記録手段が、前記受信手段で受信された放送番組データを記録する記録ステップと、
前記再生手段が、前記記録手段で記録された放送番組データをデコードし、デコードされた放送番組データから前記部分データを抽出する抽出ステップと、
前記再生手段が、前記抽出ステップで前記複数の部分データが抽出された結果得られる前記ＣＭ識別情報を記憶手段に記憶するステップと、
前記再生手段が、前記記憶手段に記憶されている前記ＣＭ識別情報の一覧をディスプレイに表示する表示ステップと、
前記再生手段が、前記一覧のなかから選択されたＣＭ識別情報と、前記放送番組記録再生装置の装置識別子とを含む視聴応答情報を作成する作成ステップと、
前記再生手段が、前記選択されたＣＭ識別情報中の前記アドレスを用いて、前記ＣＭ視聴管理サーバへ前記視聴応答情報を送信する送信ステップと、
前記ＣＭ視聴管理サーバが、前記放送番組記録再生装置からの前記視聴応答情報の数を集計する集計ステップと、
を含む放送番組記録再生方法。
【請求項２】
ＣＭ映像を含む放送番組データを記録再生する放送番組記録再生装置であって、
ＣＭ視聴管理サーバのアドレス、前記ＣＭ映像のＣＭ識別子、及び有効期限を含むＣＭ識別情報が所定の長さ単位に分割されて得られる複数の部分データが、前記ＣＭ映像の全ピクチャのうちの選択された複数のピクチャに多重されている前記放送番組データを受信する受信手段と、
前記受信手段で受信された放送番組データを記録する記録手段と、
前記記録手段で記録された放送番組データをデコードし、デコードされた放送番組データから前記部分データを抽出するデコーダと、
前記デコーダで前記複数の部分データが抽出された結果得られる前記ＣＭ識別情報を記憶する記憶手段と、
前記記憶手段に記憶されている前記ＣＭ識別情報の一覧を表示する表示手段と、
前記一覧のなかから選択されたＣＭ識別情報と、前記放送番組記録再生装置の装置識別子とを含む視聴応答情報を作成する作成手段と、
前記選択されたＣＭ識別情報中の前記アドレスを用いて、前記ＣＭ視聴管理サーバへ前記視聴応答情報を送信する送信手段と、
を含む放送番組記録再生装置。
【請求項３】
前記作成ステップで作成される前記視聴応答情報は視聴者識別子をさらに含み、
前記集計ステップは、さらに、前記視聴者識別子毎に、前記放送番組記録再生装置からの前記視聴応答情報の数を集計することを特徴とする請求項１記載の放送番組記録再生方法。
【発明の詳細な説明】
【０００１】
【発明の属する技術分野】
本発明は、ディジタル放送で放送された番組を録画して再生視聴する際に、視聴者がＣＭを視聴し応答要求に応答すると、受信契約者または視聴者にポイントを与えることにより、視聴者がＣＭをスキップせずに番組録画することを促進する放送番組記録再生装置に関する。
【０００２】
【従来の技術】
ＣＳディジタル放送あるいは２０００年に開始のＢＳディジタル放送においては、放送番組の他、番組に付随した番組情報を送信できるため、様々なサービスを提供することが可能である。例えば、電子番組表（ＥＰＧ）により各番組に対して、番組タイトル、出演者、ジャンルといった番組情報が提供されている場合、視聴者がＥＰＧ上で手軽に録画予約の操作を行ったり、予め興味のあるジャンルや出演者を録画再生機器に登録しておくことで、好みの番組を自動的に検索し、録画することが可能になる。また、ＣＳやＢＳディジタル放送における多チャンネル化に伴い、視聴者が見たい番組が同一時間帯に重なる場面が増えてきている。
【０００３】
上記を考慮すると、放送された番組を視聴者が即時に視聴するのではなく、いったん録画しておき、あとで録画番組を再生して視聴するといった視聴形態が今後益々増えることが予想される。
【０００４】
一方では、ＶＴＲを始めとする近年の録画再生機器では、録画時にＣＭをスキップする機能があるものが増えてきている。また、近年ではＨＤＤ等のディスクストレージを内蔵したセットトップボックス（ＳＴＢ）、パーソナルビデオレコーダ（ＰＶＲ）といった録画再生機器が出始めている。これらの機器においては、放送されたＣＭをスキップして録画する、あるいはディスクのランダムアクセス性を利用して、録画済みのＣＭをスキップして再生することが容易に行われてしまう。
【０００５】
このようにＣＭをスキップして録画あるいは再生する番組視聴形態が普及すると、放送番組の広告主（すなわちＣＭ提供者）にとっては、視聴者が自社ＣＭを視聴する機会が減ってしまうことを意味する。従って、ＣＭ番組を確実に視聴者に視聴させる方法が望まれている。
【０００６】
ここで、ＣＭ番組を確実に視聴者に視聴させる方法の一例が、特開平１１−１８１１３５公報に開示されている。そこでは、ＣＭ放映中に質問等のメッセージを表示し、視聴者がそのメッセージに対して応答するとポイントを加算し、ポイントに応じて有料放送の番組料金を割引く方法が記されている。
【０００７】
しかしながら、この方式は、放送されたＣＭを視聴者が即時に視聴することが前提となっており、録画後に再生して視聴する形態に対しては効果が期待されない。従って、放送されたＣＭを録画して再生視聴する際にも、視聴者にポイント情報を与えることにより、視聴者がＣＭをスキップせずに番組録画するように促す放送番組録画再生装置が望ましい。
【０００８】
【発明が解決しようとする課題】
以上のように、ＣＭをスキップして録画あるいは再生する番組視聴形態が普及すると、放送番組の広告主（すなわちＣＭ提供者）にとっては、視聴者が自社ＣＭを視聴する機会が減ってしまうため、ＣＭ番組を確実に視聴者に視聴させる方法が望まれているが、特開平１１−１８１１３５公報に開示されている方法では、放送されたＣＭを視聴者が即時に視聴することが前提となっており、録画後に再生して視聴する形態に対しては効果が期待されないという問題がある。
【０００９】
そこで、本発明は、ディジタル放送で放送されたＣＭを含む番組を録画した後再生する場合に、視聴者がＣＭをスキップすることなく録画再生を行うことを促進する放送番組記録再生方法および放送番組録画再生装置を提供する。
【００１０】
【課題を解決する手段】
本発明の情報記録再生方法は、視聴者からの応答を要求するための応答要求情報の付加された放送配信された番組コンテンツデータを受信する放送受信装置は、前記受信した番組コンテンツデータを記録し、前記記録された番組コンテンツデータを再生する際、前記応答要求情報を抽出して、この応答要求情報に基づき得られた応答に関し集計すべき項目を他の装置へ送信し、前記他の装置は送信されてきた項目を基に、前記視聴者毎あるいは前記放送受信装置毎に応答頻度を集計することを特徴とする。
【００１１】
本発明の情報記録再生装置は、視聴者からの応答を要求するための応答要求情報の付加された送配信された番組コンテンツデータを受信する受信手段と、前記受信された番組コンテンツデータを記録する記録手段と、前記記録された番組コンテンツデータを再生する際、前記応答要求情報を抽出する抽出手段と、この抽出手段で抽出された応答要求情報に基づき得られた応答に関し、集計すべき項目を他の装置へ送信する送信手段とを具備したことを特徴とする。
【００１２】
本発明によれば、放送配信された例えば（応答要求情報の付された）ＣＭを含む番組を録画した後再生する場合に、視聴者がＣＭをスキップすることなく録画再生を行うことを促進することができる。
【００１３】
好ましくは、前記送信手段は、少なくとも、応答を行った各視聴者毎の応答頻度を集計するための視聴者の識別子を送信する。また、好ましくは、前記送信手段は、前記応答要求情報の付加された番組コンテンツデータを再生した装置毎の応答頻度を集計するための装置識別子を送信する。また、好ましくは、前記抽出手段で応答がすでに得られている応答要求情報が再度抽出されたとき、その応答要求情報に基づく視聴者への応答要求は行わないことを特徴とする。また、このましくは、前記応答要求情報は、ＭＰＥＧ２ビデオで定義されているユーザデータとして前記番組コンテンツデータの映像ストリームに多重されている。
【００１４】
【発明の実施の形態】
以下、本発明の実施形態について図面を参照して説明する。
【００１５】
本実施形態では、、ＭＰＥＧ２トランスポートストリームを用いて放送されるデジタル放送を情報記録メディアに記録しておき、後に視聴する際にテレビコマーシャルやラジオコマーシャルのようなＣＭ（コマーシャル・メッセージ）に応答してポイントを得る場合について説明する。
【００１６】
本実施形態では、放送局から送出される放送番組コンテンツデータ中にはＣＭコンテンツデータ（映像、音声）が含まれており、このＣＭコンテンツデータには視聴者からの応答を要求し、それにより得られた応答を受け付けるための番組応答情報が付加されているものとする。この番組応答情報に基づく応答要求に対し、視聴者が応答することにより当該視聴者、あるいはその再生装置に対しポイントを与えるようになっている。ＣＭコンテンツデータの視聴につきポイントを付与するために該ＣＭコンテンツデータに番組応答情報を多重する。
【００１７】
放送局から送出される放送番組コンテンツデータ（以下、略して番組データと呼ぶ）中のＣＭコンテンツデータ（以下、略してＣＭデータと呼ぶ）に番組応答情報を多重する方法を以下に示す。本実施形態では、例えばＣＭの識別子やその提供会社や有効期限等の当該ＣＭの属性を記述したＣＭ識別情報を定義する。
【００１８】
ＣＭ識別情報のデータ構成例を図１に示す。ＣＭ識別情報は例えば各ＣＭコンテンツデータを識別するためのＣＭ識別子（ＣＭ＿ｉｄ）、ＣＭ視聴管理サーバ（後述するようにＣＭ視聴応答情報を受信して、それを基に、視聴者毎、装置毎のポイント情報を作成するものである）のＩＰアドレス（ＩＰ＿ａｄｄｒｅｓｓ）、有効期限（ａｖａｉｌａｂｌｅ＿ｄａｙ）、ＣＭを提供している会社の名（ｃａｍｐａｎｙ＿ｎａｍｅ）、ＣＭの名称（ＣＭ＿ｎａｍｅ）からなる６４バイト（ｂｙｔｅ）のデータである。このＣＭ識別情報を１バイトずつ分割し、その分割された１バイトのＣＭ識別情報（ＣＭ＿ｉｄｅｎｔｉｆｙ＿ｉｎｆｏｒｍａｔｉｏｎ［ｉ］、ｉ＝０〜６３）をＭＰＥＧ２  ｖｉｄｅｏで定義されているｕｓｅｒ＿ｄａｔａ（ｉ）に含め、６４個のｕｓｅｒ＿ｄａｔａ（ｉ）を作成する。ユーザデータ（ｕｓｅｒ＿ｄａｔａ（ｉ））をここでは、番組応答情報と呼ぶ。そして、ＣＭ識別情報をＣＭの映像であるＭＰＥＧ２ビデオストリームにユーザデータとして多重する。
【００１９】
ｕｓｅｒ＿ｄａｔａ（ｉ）のデータ構成例を図２に示す。このｕｓｅｒ＿ｄａｔａ（ｉ）をＣＭ映像のビットストリームの全ピクチャの中から適当に選んだ６４個のピクチャにコーディングオーダーでシーケンシャルにデータを多重する。多重の様子を図３に示す。これによりこの番組応答情報は対応するＣＭを全編復号しないと情報が揃わない。
【００２０】
ＭＰＥＧ２トランスポートストリームを用いて放送されるデジタル放送を情報記録メディアに記録する放送番組記録装置の構成を図４に示す。図４に示すように、放送番組記録装置は、チューナ・復調部２、ＭＰＥＧ２トランスポートストリームデコード部（以下、簡単にＴＳデコード部と呼ぶ）３、情報記録メディア４、ＣＰＵ５、応答入力部６からなり、応答入力部６には視聴者によるリモート操作を可能にする応答操作部７からデータが入力されるようになっている。
【００２１】
次に、図４の放送番組記録装置の処理動作を説明する。
【００２２】
まず、放送局１から配信される放送波を受信して、所望の番組データを記録するのに必要なデータの含まれるＭＰＥＧ２トランスポートストリームのトランスポートストリームパケットの識別子ＰＩＤ（Ｐａｃｋｅｔ  Ｉｄｅｎｔｉｆｉｅｒ）を選び出す処理手順を図５に示すフローチャートを参照して説明する。
【００２３】
なお、本実施形態の説明で用いる、ユーザデータ、ＰＡＴ、ＰＭＴ、ネットワークＰＩＤ、ＮＩＴ、サービスＩＤ、プログラム番号、ＣＡＴ、プログラム・マップＰＩＤ、ＥＣＭ、ＥＭＭ、エレメンタリーＰＩＤ、ＣＡ＿ＰＩＤ等は、ＭＰＥＧ２、ＭＰＥＧ２システムにて定義されている用語であるので詳細な説明は省略する。
【００２４】
放送局１から複数のチャネルの番組データが多重されたＭＰＥＧ２トランスポートストリーム（例えば、トランスポンダ）が変調された変調波が放送配信される。チューナ・変調部２は、選局された１本のトランスポートストリームをＴＳデコード部３へ送る。ＴＳデコード部３には、現在視聴者により選択された（例えば、視聴者が応答操作部７を操作して選択したチャネル番号が応答入力部６を介して入力されることにより）チャネル番号に対応するサービスＩＤが予め通知されている（ステップＳ１）。ＴＳデコード部３は、現在受信しているトランスポートストリームのＰＡＴ（Ｐｒｏｇｒａｍ  Ａｓｓｏｃｉａｔｉｏｎ  Ｔａｂｌｅ：個々のチャネルを識別するプログラム番号毎にそのプログラムを構成するパケットの情報を伝送するＰｒｏｇｒａｍ  Ｍａｐ  Ｔａｂｌｅ（ＰＭＴ）のＰＩＤが記述されている）を受信する（ステップＳ２）。
【００２５】
このＰＡＴに含まれるネットワークＰＩＤ（プログラム番号が「０ｘ００００」の場合に、Ｎｅｔｗｏｒｋ  Ｉｎｆｏｒｍａｔｉｏｎ  Ｔａｂｌｅ（ＮＩＴ）のＰＩＤを示す）を用いて、ＮＩＴ（伝送路に関する物理的な情報を示す）を受信し、これを基に当該サービスＩＤがそのトランスポートストリームに含まれているか調べる（ステップＳ３）。含まれていない場合は、チューナ・復調部２で別のトランスポートストリームを受信し（ステップＳ５）、ステップＳ３へ戻る。含まれていた場合は、ステップＳ６へ進み、改めてＰＡＴ、ＣＡＴ（例えば有料放送において、スクランブルを解くための暗号解読情報を伝送するパケットのＰＩＤを示す）を受信する（ステップＳ６）。
【００２６】
さらに、受信したＰＡＴ内の当該サービスＩＤに対応するプログラム番号（サービスＩＤ＝プログラム番号とする）に付随するプログラム・マップＰＩＤ（Ｐｒｏｇｒａｍ  Ｍａｐ  ＰＩＤ）を用いてＰＭＴ（各プログラム番号毎に、そのプログラムを構成する映像、音声、付加データなどのストリームが伝送されるパケットのＰＩＤが記述されている）を受信する（ステップＳ７）。
【００２７】
ＰＭＴ内で当該プログラム番号に対応するストリームタイプ（映像・音声・ＥＣＭ（Ｅｎｔｉｔｌｍｅｎｔ  Ｃｏｎｔｒｏｌ  Ｍｅｓｓａｇｅ：鍵共通情報）、ＥＭＭ（Ｅｎｔｉｔｌｍｅｎｔ  Ｍａｎａｇｅｍｅｎｔ  Ｍｅｓｓａｇｅ：鍵個別情報）等）毎のエレメンタリーＰＩＤを認識した後、エレメンタリーＰＩＤと一致するＰＩＤを持つトランスポートストリームパケット（以下、簡単にＴＳパケットと呼ぶ）を分離する（ステップＳ８）。
【００２８】
こうしてＴＳデコード部３で得られたＰＡＴ、ＣＡＴ、ＰＭＴ、各タイプのＴＳパケットのみを光ディスク、磁気ディスク、半導体メモリ等の情報記録メディア３に記録する。この際、必要なデータを含むトランスポートストリーム全体を情報記録メディア３に記録してもよい。
【００２９】
情報記録メディア４に記録された番組データを視聴する放送番組再生装置の構成例を図６に示す。図６の放送番組再生装置は、情報記録メディア１１、ＭＰＥＧ２トランスポートストリームデコード部（以下、簡単にＴＳデコード部と呼ぶことがある）１２、ビデオストリームデコード部（以下、簡単にＶＳデコード部と呼ぶことがある）１３、オーディオストリームデコード部（以下、簡単にＡＳデコード部と呼ぶことがある）１４、コンディショナルアクセス処理部（以下、簡単にＣＡ処理部と呼ぶことがある）１５、番組応答情報処理部１６、ディスプレイ１７、スピーカ１８、ネットワークインタフェース（Ｉ／Ｆ）部（以下、簡単にＮＷインタフェース部と呼ぶ）２０、ＣＰＵ２１、番組応答情報格納部２２、応答入力部２３から構成される。応答入力部２３には視聴者によるリモート操作を可能にする応答操作部２４からデータが入力されるようになっている。ＮＷインタフェース部２０は所定のネットワークを介してＣＭ視聴応答管理サーバ１９と通信を行うためのインタフェースである。
【００３０】
図６の放送番組再生装置の処理動作について、図７、図８に示すフローチャートを参照して説明する。まず、図４の放送番組記録装置にて情報記録メディア４１に記録された番組データを図６の放送番組再生装置にて再生する際の処理動作を図７を参照して説明する。
【００３１】
情報記録メディア１１（図４の情報記録メディア４に相当する）から読み出されたストリームは、ＴＳデコード部１２に渡される。ＴＳデコード部１２はまずＣＡＴを探し、その中から暗号解読情報を伝送するＴＳパケットのＩＤ（ＣＡ＿ＰＩＤ）を得る（ステップＳ１１）。そのＣＡ＿ＰＩＤのＴＳパケットからＥＭＭを得る。ＥＭＭは、ＴＳデコード部１２に一時格納される（ステップＳ１２）。
【００３２】
次いで、ＰＡＴを探し、ＰＡＴ内のサービスＩＤからプログラム・マップＰＩＤを得る（ステップＳ１３）。このプログラム・マップＰＩＤを用いてＰＭＴを探し、このＰＭＴの中から暗号解読情報を伝送するＴＳパケットのＩＤ（ＣＡ＿ＰＩＤ）を得る（ステップＳ１４）。ここで得られたＣＡ＿ＰＩＤのＴＳパケットからＥＣＭを得る（ステップＳ１５）。
【００３３】
次に、ステップＳ１２、ステップＳ１５で得られたＥＭＭ、ＥＣＭがこの再生装置で使えるものか否かを判定し（ステップＳ１６）、可能なら、これらのデータをビデオストリームデコード部１３、オーディオストリームデコード部１４に渡す。一方、ＴＳデコード部１２では、ＰＭＴを参照して、各ストリームタイプ毎のエレメンタリーＰＩＤを持つＴＳパケット（映像のＴＳパケット、音声のＴＳパケット等）を抽出して生成されるビデオストリーム、オーディオストリームをそれぞれ各ストリームタイプ毎のデコード部（ＶＳデコード部１３、ＡＳデコード部１４）へそれぞれ渡し、各デコード部１３、１４では、ＥＭＭ、ＥＣＭを用いて当該ストリームをデスクランブルする。
【００３４】
ＶＳデコード部１３は、図２に示すような番組応答情報としてのユーザデータ（ｉ）が存在すればそれを抜き出して番組応答情報処理部１６に渡す。番組応答情報処理部１６がユーザデータ（ｉ）を６４個全て受け取ると、図１に示すようなＣＭ識別情報を組み立てることができる。ＣＭ識別情報を受け取った際の処理を図８を参照して説明する。
【００３５】
番組応答情報処理部２２は、ＣＭ識別情報を得ると（ステップＳ２０）、まず、その有効期限（ａｖａｉｌａｂｌｅ＿ｄａｙ）をチェックする。すでに有効期限が過ぎているデータについては廃棄する（ステップＳ２４）。次に、当該ＣＭ識別情報中のＣＭ識別子と同じものが番組応答情報格納部２２に格納されているＣＭ識別情報の中に存在するか否かを確認する（ステップＳ２２）。番組応答情報格納部２２に同一のＣＭ識別情報が存在しない場合は、当該ＣＭ識別情報に（視聴者が未応答である旨を示す）フラグ（以下、未応答フラグと呼ぶ）「１」を付加して、番組応答情報格納部２２に格納する（ステップＳ２３）。同一のＣＭ識別情報が存在する場合は、ステップＳ２４へ進み、当該ＣＭ識別情報を破棄する。
【００３６】
ステップＳ２３において、番組応答情報処理部１６はさらに、ＶＳデコード部１３、ＡＳデコード部１４に対して現在再生中のＣＭコンテンツデータに番組応答情報が含まれていることを知らせるメッセージや音をおのおのの出力に多重する指示を出すことが出来る。
【００３７】
次に、視聴者がＣＭ識別情報に応答する方法について述べる。例えば視聴者は、ＣＭを視聴した後、応答操作部２４を用いて所定の操作をすることにより、ＣＰＵ２１に対して未応答のＣＭ識別情報の一覧表示を指示する。ＣＰＵ２１は番組応答情報格納部２２から未応答フラグの立っている（未応答フラグが「１」の）ＣＭ識別情報を抜き出し、ディスプレイ１７に（少なくとも視聴者が各ＣＭを識別できように）一覧表示する。視聴者は応答操作部２４を用いて所定の操作をすることにより、一覧の中から所望のＣＭ識別情報を選び、そのＣＭ識別情報に対して応答する旨をＣＰＵ２１に指示する。
【００３８】
ＣＰＵ２１は、これを受けて、番組応答情報処理部１６に、番組応答情報格納部２２に格納されている当該応答指示のあったＣＭ識別情報のＣＭ識別子と、例えばコンディショナルアクセス処理部１５に格納されている図６に示したような構成の放送番組再生装置のそれぞれを識別するための装置識別子などから一意に作成されるＣＭ視聴応答情報を作成する。
【００３９】
ＣＰＵ２１は、当該応答指示のあったＣＭ識別情報中にあるＣＭ視聴応答管理サーバ１１のＩＰアドレスを用いて、ＮＷインタフェース部２０から、例えばＩＳＤＮなどのデジタル回線経由で、作成されたＣＭ視聴応答情報を当該ＣＭ視聴応答管理サーバ１１へ送信する。ＩＰアドレスの代わりに電話番号であってもよく、作成されたＣＭ視聴応答情報は、ＣＭ視聴応答管理サーバ１１に電話回線経由で送信することも可能である。
【００４０】
また、応答操作部２４内にあるＲＯＭ等のメモリ内に、視聴者の識別子（以下、視聴者識別子）が格納されていて、当該視聴者が当該応答操作部２４を用いて行う操作によりＣＰＵ２１に通知される応答指示メッセージのなかに当該視聴者識別子が含まれている場合、あるいは、応答操作部２４がある視聴者にパーソナライズされていて、当該応答操作部２４を用いて所定の操作をすることにより、当該応答操作部２４内に記憶されている当該視聴者識別子が応答入力部２３に送信され、応答入力部２３に一時格納されているい場合に、番組応答情報処理部１６では、さらに、この視聴者識別子を加えてＣＭ視聴応答情報を作成するようにしてもよい。そして、ＣＭ識別子と装置識別子と視聴者識別子などを含むＣＭ視聴応答情報がＣＭ視聴応答管理サーバ１９に送信される。
【００４１】
さらに、番組応答情報格納部２２は、ＣＭ識別情報を格納するとともに、当該ＣＭ識別情報に対し応答した視聴者の視聴者識別子を対応付けて記憶するようにしてもよい。この場合、例えば、視聴者識別子を記憶している応答操作部２４を用いて所定の操作を行うことにより、この応答操作部２４から視聴者識別子が応答入力部２３を経由して番組応答情報処理部１６に入力する。ここで、ＣＭ視聴応答情報を作成する際に、すでにＣＭ識別情報に入力された視聴者識別子と同じ視聴者識別子が対応付けて記憶されているときは、当該ＣＭ識別情報についてのＣＭ視聴応答情報を作成しない。あるいは、未応答のＣＭ識別情報の一覧表示の際、当該入力された視聴者識別子が対応付けられているＣＭ識別情報は表示しないなど、当該視聴者がすでに視聴したＣＭを再び再生したときには、再度の応答ができなくなるようにすることが望ましい。
【００４２】
また、電源投入時または定期的に番組応答情報格納部２２の内容を確認し、ＣＭ識別情報内の有効期限ａｖａｉｌａｂｌｅ＿ｄａｙが経過してしまったＣＭ識別情報に関しては削除することも可能である。
【００４３】
ＣＭ視聴応答管理サーバ１９は、送られてきたＣＭ視聴応答情報中のＣＭ識別子や装置識別子や視聴者識別子から、放送番組再生装置単位または視聴者単位に応答結果を集計し、例えば、応答回数の多い放送番組再生装置あるいは視聴者には高いポイントを与えるようにしたポイント情報を作成する。このポイント情報により、後に、放送番組記録装置および放送番組再生装置の所有者である放送受信契約者又は（必ずしも当該放送受信契約者であるとは限らない）再生された番組の視聴者がポイントに応じたキャッシュバック等のサービスを受けることが出来る。
【００４４】
また、番組応答情報格納部２２にＣＭ識別情報とそれに対応するＣＭをすでに視聴した装置識別子、視聴者識別子も当該ＣＭ識別情報に対応付けて記憶して、ＣＭ視聴応答情報を作成する際、未応答のＣＭ識別情報の一覧を表示する際等にその記憶内容を参照することで、同一ＣＭの繰り返し視聴による多重ポイント取得などの不正行為を防ぐことが出来る。
【００４５】
なお、上記実施形態では、一旦情報記録メディア４、１１に記録した番組データを後に再生して視聴する場合を説明したが、情報記録メディアに記録しながらその番組データを再生する、いわゆるタイムシフト視聴をする場合でも上記と同様である。
【００４６】
また、上記実施形態では、番組データが衛星経由または地上波として送られてくる場合の説明をしたが、番組がケーブル経由で送られてくる場合にも適用可能である。この際、ＣＭ視聴応答情報をケーブル経由でＣＭ視聴応答管理サーバ１９へ送信することも可能である。ＣＭ視聴応答管理サーバ１９は放送局と同じであってもよく、またＣＭ視聴応答情報受信のための専用のサーバであっても良い。
【００４７】
また、情報記録メディア４、１１を介さずに、ＭＰＥＧ２トランスポートストリームデコード部３の出力をビデオストリームデコード部１３、オーディオストリームデコード部１４に渡してＣＭに応答する場合も本発明が適用可能である。さらには通信回線などを用いて、情報記録メディア４、１１に記憶した番組データを他の放送番組記録再生装置に転送し、その放送番組記録再生装置で再生してＣＭに応答することも可能である。
【００４８】
以上説明したように、上記実施形態によれば、放送されたＣＭを録画して再生視聴する際に、視聴者あるいは録画再生装置所有者にポイントが与えられることで各種サービスを享受することが可能となるため、視聴者がＣＭをスキップせずに番組を記録することが促進される。また、放送を記録したメディアを他の再生装置で再生した場合にも、その再生装置の所有者にポイントが与えられる一方、再生装置とＣＭの組み合わせで管理するため同じＣＭを何回も見てポイントを不正に得ることを防ぐことも出来る。もちろん、応答を求めることでプライバシーの流出を恐れる視聴者は応答をしないことによりポイントが得られない代わりにプライバシーの流出を防ぐことが出来る。また、例えばＤＶＤ−ＲＯＭなどのメディアに上記番組応答情報のフォーマットで例えばアンケートに答える番組を記録し、メディアを復号化しながら応答に答えてもらうことでアンケートを取り、アンケートに答えた人には何らかのポイントをつけることも可能である。
【００４９】
また、上記実施形態では、放送番組記録装置と放送番組再生装置とをそれぞれ別個の装置として説明したが、この場合に限らず、図４、図６に示した構成を合わせて１つの装置として、放送番組記録再生装置としてもよく、その場合も上記説明が全て当てはまる。
【００５０】
さらに、本発明は、上記実施形態に限定されるものではなく、実施段階ではその要旨を逸脱しない範囲で種々に変形することが可能である。さらに、上記実施形態には種々の段階の発明は含まれており、開示される複数の構成用件における適宜な組み合わせにより、種々の発明が抽出され得る。例えば、実施形態に示される全構成要件から幾つかの構成要件が削除されても、発明が解決しようとする課題の欄で述べた課題（の少なくとも１つ）が解決でき、発明の効果の欄で述べられている効果（のなくとも１つ）が得られる場合には、この構成要件が削除された構成が発明として抽出され得る。
【００５１】
【発明の効果】
以上説明したように、本発明によれば、放送配信された例えば（応答要求情報（ＣＭ識別情報）の付された）ＣＭを含む番組を録画した後再生する場合に、視聴者がＣＭをスキップすることなく録画再生を行うことを促進することができる。
【図面の簡単な説明】
【図１】ＣＭ識別情報のデータ構成例を示した図。
【図２】番組応答情報のデータ構成例を示した図。
【図３】番組応答情報を多重化方法を説明するための図。
【図４】放送番組記録装置の構成例を示した図。
【図５】図４の放送番組記録再生装置の記録処理動作を説明するためのフローチャート。
【図６】放送番組再生装置の構成例を示した図。
【図７】図６の放送番組再生装置の再生処理動作を説明するためのフローチャート。
【図８】ＣＭ識別情報に対する処理動作を説明するためのフローチャート。
【符号の説明】
１……放送局
２……チューナ、復調部
３……ＭＰＥＧ２トランスポートストリームデコード部
４……情報記録メディア
５……ＣＰＵ
６……応答手段データインターフェース部
７……応答手段
１１…情報記録メディア
１２…ＭＰＥＧ２トランスポートストリームデコード部
１３…ビデオストリームデコード部
１４…オーディオストリームデコード部
１５…コンディショナルアクセス処理部
１６…番組応答情報処理部
１７…ディスプレー
１８…スピーカー
１９…ＣＭ視聴応答管理サーバ
２０…ネットワークインターフェース部
２１…ＣＰＵ
２２…番組応答情報格納部
２３…応答手段データインターフェース部
２４…応答手段
【図１】
0004034502.tif 000002
【図２】
0004034502.tif 000003
【図３】
0004034502.tif 000004
【図４】
0004034502.tif 000005
【図５】
0004034502.tif 000006
【図６】
0004034502.tif 000007
【図７】
0004034502.tif 000008
【図８】
0004034502.tif 000009